(57)【特許請求の範囲】
【請求項１】
ユーザ機器（ＵＥ）におけるコードブックサブセット制限のための方法であって、
ネットワークノードから、コードブックの第１のグループにおけるプリコーダに共通の第１の構成要素向けのコードブックサブセット制限（ＣＢＳＲ）シグナリングを受信することであって、前記第１の構成要素の制限が第２の構成要素の制限にマッピングされており、前記第２の構成要素がコードブックの第２のグループにおけるプリコーダに共通である、受信することと、
前記第２の構成要素に基づいて、前記コードブックの第２のグループにおけるコードブックから選択可能なプリコーダを制限することであって、前記コードブックの第１のグループが１層のコードブック、２層のコードブック、５層のコードブック、６層のコードブック、７層のコードブックおよび／または８層のコードブックを備え、アンテナポートの数が１６以上であるとき、前記コードブックの第２のグループが３層のコードブックおよび／または４層のコードブックを備える、制限することとを含む方法。
【請求項２】
前記第１の構成要素がベクトルの第１の組に含まれるベクトルであり、前記コードブックの第１のグループにおける前記プリコーダが、前記ベクトルの第１の組に含まれる１つまたは複数のベクトルを含む、請求項１に記載の方法。
【請求項３】
前記第２の構成要素がベクトルの第２の組に含まれるベクトルであり、前記コードブックの第２のグループにおける前記プリコーダが、前記ベクトルの第２の組に含まれる１つまたは複数のベクトルを含む、請求項１に記載の方法。
【請求項４】
前記ベクトルの第２の組における前記ベクトルのサイズが、前記ベクトルの第１の組における前記ベクトルのサイズの半分である、請求項３に記載の方法。
【請求項５】
前記第１の構成要素がベクトルの第１の組に含まれるベクトルであり、前記第２の構成要素がベクトルの第２の組に含まれるベクトルであり、前記第２の構成要素が、前記第１の構成要素のものとはサイズが異なるベクトルを含む、請求項１に記載の方法。
【請求項６】
前記ベクトルの第２の組におけるベクトルのサイズが、前記ベクトルの第１の組におけるベクトルのサイズの半分である、請求項５に記載の方法。
【請求項７】
前記ＣＢＳＲシグナリングが、複数のビットを含むビットマップを含み、前記複数のビットの各ビットがベクトルの第１の組に含まれるベクトルを指示する、請求項１に記載の方法。
【請求項８】
前記第１の構成要素が制限されていることを指示する前記ビットマップに基づいて、前記第２の構成要素が制限されているかどうかを判定することをさらに含む、請求項７に記載の方法。
【請求項９】
前記第１の構成要素に基づいて、前記コードブックの第１のグループにおけるコードブックから選択可能なプリコーダを制限することをさらに含む、請求項１に記載の方法。
【請求項１０】
前記コードブックの第２のグループにおける前記コードブックから選択可能な前記プリコーダからプリコーダを選択することと、
選択された前記プリコーダを指示するチャネル状態情報（ＣＳＩ）報告を生成することと、
前記ネットワークノードに前記ＣＳＩ報告を送信することとをさらに含む、請求項１に記載の方法。
【請求項１１】
前記第２の構成要素がインデックスｌを伴い、前記方法は、ベクトルの第１の組におけるインデックス２ｌ＋１、２ｌ−１、および２ｌを伴うベクトルのうち少なくとも１つに関して前記第１の構成要素が制限されているかどうかを指示する複数のビットに基づいて、前記第２の構成要素が制限されているかどうかを判定することをさらに含む、請求項１に記載の方法。
【請求項１２】
ベクトルの第１の組におけるインデックス２ｌ＋１、２ｌ−１、および２ｌを伴うベクトルの各々に関して前記第１の構成要素が制限されているかどうかを指示する複数のビットに基づいて、前記第２の構成要素が制限されているかどうかを判定することをさらに含む、請求項１に記載の方法。
【請求項１３】
前記第１の構成要素が、関連するインデックスｌ１を有し、前記第２の構成要素が、関連するインデックスｌ２を有し、
窓［２ｌ２−Δ１，２ｌ２＋Δ２］の内部のインデックスｌ１を伴う前記第１の構成要素が制限されている場合には、インデックスｌ２を伴う前記第２の構成要素が制限される、請求項１に記載の方法。
【請求項１４】
Δ１＝Δ２である、請求項１３に記載の方法。
【請求項１５】
Δ１＝Δ２＝１であって前記窓のサイズが３である、請求項１３に記載の方法。
【請求項１６】
コードブックサブセット制限のためにネットワークノードによって遂行される方法であって、
コードブックの第１のグループにおけるプリコーダに共通の第１の構成要素を指示するコードブックサブセット制限（ＣＢＳＲ）シグナリングを生成することであって、前記第１の構成要素が、コードブックの第２のグループにおけるプリコーダに共通の第２の構成要素にマッピングされており、前記ＣＢＳＲシグナリングが、ユーザ機器（ＵＥ）に、前記第２の構成要素に基づいて、前記コードブックの第２のグループにおけるコードブックから選択可能なプリコーダを制限させるように設定されており、前記コードブックの第１のグループが１層のコードブック、２層のコードブック、５層のコードブック、６層のコードブック、７層のコードブックおよび／または８層のコードブックを備え、アンテナポートの数が１６以上であるとき、前記コードブックの第２のグループが３層のコードブックおよび／または４層のコードブックを備える、生成することと、
前記ＵＥに前記ＣＢＳＲシグナリングを送信することとを含む方法。
【請求項１７】
前記第１の構成要素がベクトルの第１の組に含まれるベクトルであり、前記コードブックの第１のグループにおける前記プリコーダが前記ベクトルの第１の組に含まれる１つまたは複数のベクトルを含む、請求項１６に記載の方法。
【請求項１８】
前記第２の構成要素が、前記第１の構成要素のものとはサイズが異なるベクトルを含む、請求項１７に記載の方法。
【請求項１９】
前記第２の構成要素がベクトルの第２の組に含まれるベクトルであり、前記コードブックの第２のグループにおける前記プリコーダが前記ベクトルの第２の組に含まれる１つまたは複数のベクトルを含む、請求項１６に記載の方法。
【請求項２０】
前記第２の構成要素が、前記第１の構成要素のものとはサイズが異なるベクトルを含む、請求項１９に記載の方法。
【請求項２１】
無線通信ネットワークにおける、少なくともプロセッサおよび記憶装置を備えるユーザ機器（ＵＥ）であって、前記記憶装置が含有している命令が前記プロセッサによって実行されることにより、前記ＵＥ（１０２）が、
ネットワークノードから、コードブックの第１のグループにおけるプリコーダに共通の第１の構成要素向けのコードブックサブセット制限（ＣＢＳＲ）シグナリングを受信することであって、前記第１の構成要素の制限が第２の構成要素の制限にマッピングされており、前記第２の構成要素がコードブックの第２のグループにおけるプリコーダに共通である、受信することと、
前記第２の構成要素に基づいて、前記コードブックの第２のグループにおけるコードブックから選択可能なプリコーダを制限することであって、前記コードブックの第１のグループが１層のコードブック、２層のコードブック、５層のコードブック、６層のコードブック、７層のコードブックおよび／または８層のコードブックを備え、アンテナポートの数が１６以上であるとき、前記コードブックの第２のグループが３層のコードブックおよび／または４層のコードブックを備える、制限することとを行う、ユーザ機器。
【請求項２２】
前記第２の構成要素がインデックスｌを伴い、
前記ＵＥの記憶装置が含有しているさらなる命令が前記プロセッサによって実行されることにより、前記ＵＥが、ベクトルの第１の組におけるインデックス２ｌ＋１、２ｌ−１、および２ｌを伴うベクトルのうち少なくとも１つに関して前記第１の構成要素が制限されているかどうかを指示する複数のビットに基づいて、前記第２の構成要素が制限されているかどうかを判定する、請求項２１に記載のユーザ機器。
【請求項２３】
前記ＵＥの記憶装置が含有しているさらなる命令が前記プロセッサによって実行されることにより、前記ＵＥが、ベクトルの第１の組におけるインデックス２ｌ＋１、２ｌ−１、および２ｌを伴うベクトルの各々に関して前記第１の構成要素が制限されているかどうかを指示する複数のビットに基づいて、前記第２の構成要素が制限されているかどうかを判定する、請求項２１に記載のユーザ機器。
【請求項２４】
前記第１の構成要素が、関連するインデックスｌ１を有し、前記第２の構成要素が、関連するインデックスｌ２を有し、窓［２ｌ２−Δ１，２ｌ２＋Δ２］の内部のインデックスｌ１を伴う前記第１の構成要素が制限されている場合には、インデックスｌ２を伴う前記第２の構成要素が制限される、請求項２１に記載のユーザ機器。
【請求項２５】
Δ１＝Δ２である、請求項２４に記載のユーザ機器。
【請求項２６】
Δ１＝Δ２＝１であって前記窓のサイズが３である、請求項２４に記載のユーザ機器。
【請求項２７】
無線通信ネットワークにおける、少なくともプロセッサおよび記憶装置を備えるネットワークノードであって、前記記憶装置が含有している命令が、前記プロセッサによって、
コードブックの第１のグループにおけるプリコーダに共通の第１の構成要素を指示するコードブックサブセット制限（ＣＢＳＲ）シグナリングを生成することであって、前記第１の構成要素が、コードブックの第２のグループにおけるプリコーダに共通の第２の構成要素にマッピングされており、前記ＣＢＳＲシグナリングが、ユーザ機器（ＵＥ）に、前記第２の構成要素に基づいて、前記コードブックの第２のグループにおけるコードブックから選択可能なプリコーダを制限させるように設定されており、前記コードブックの第１のグループが１層のコードブック、２層のコードブック、５層のコードブック、６層のコードブック、７層のコードブックおよび／または８層のコードブックを備え、アンテナポートの数が１６以上であるとき、前記コードブックの第２のグループが３層のコードブックおよび／または４層のコードブックを備える、生成することと、
前記ＵＥに前記ＣＢＳＲシグナリングを送信することとを行うために実行可能である、ネットワークノード。
【発明の詳細な説明】
【技術分野】
【０００１】
優先出願の相互参照
本出願は、２０１７年８月１１日に出願された「Ｅｎｈａｎｃｅｄ  Ｂｅａｍ−Ｂａｓｅｄ  Ｃｏｄｅｂｏｏｋ  Ｓｕｂｓｅｔ  Ｒｅｓｔｒｉｃｔｉｏｎ  Ｓｉｇｎａｌｉｎｇ」という名称の米国特許仮出願第６２／５４４，７６１号の優先権を主張するものである。
【０００２】
本出願は、無線通信用の、詳細には拡張コードブックサブセット制限（ＣＢＳＲ）シグナリング用の、システム、方法、および装置に関するものである。
【背景技術】
【０００３】
第５世代（５Ｇ）エアインターフェースプロトコルは、新無線（ＮＲ）とも称され、現在、第３世代パートナーシッププロジェクト（３ＧＰＰ）によって開発されている。同一のビームベースの量がすべてのランク向けのプリコーダの成分構成要素であるわけではないので、Ｌｏｎｇ  Ｔｅｒｍ  Ｅｖｏｌｕｔｉｏｎ（ＬＴＥ）に使用されるビームベースのランク非依存のＣＢＳＲ手法は、ＮＲ用には直接再利用され得ない。すなわち、ＬＴＥのランク３および４用のプリコーダコードブックは、残りのランクとは異なるビームベースの量を用いて構築される。代替案には、プリコーディング行列インジケータ（ＰＭＩ）ベースのランクごとのＣＢＳＲに基づいて、ｐｒｅ−ＬＴＥの全次元多入力多出力（ＦＤ−ＭＩＭＯ）ＣＢＳＲ手法を使用するものがあるが、これはＬＴＥと比較してシグナリングのオーバヘッドが約８倍になる。
【０００４】
２次元離散フーリエ変換（２Ｄ  ＤＦＴ）ビームを同相にするのに２つのパラメータ（φ_nおよびθ_p）がこのとき使用されるので、ＮＲコードブックは、ＬＴＥの従来技術のコードブックとは異なる汎用型の同相化作用を使用する。同相化作用は、コードブックにおいて使用されるチャネル状態情報参照信号（ＣＳＩ−ＲＳ）ポートの数に依拠し、異なるランクのコードブック向けには異なり得る。結果的に、同相化およびランクのコードブック制限のために、ＮＲにおける新規の機構が必要とされている。
【発明の概要】
【０００５】
本開示は、無線通信システムにおけるコードブックサブセット制限およびプリコーダ選択に関する技術を説明するものである。概して、これらの技術は、コードブックの第１のグループのプリコーダに共通の第１の構成要素を、第１の構成要素とは異なる、コードブックの第２のグループのプリコーダに共通の第２の構成要素にマッピングすることを伴う。たとえば、本開示は、ユーザ機器（ＵＥ）におけるコードブックサブセット制限のための例示の方法に含まれる。この方法によれば、ＵＥは、ネットワークノード（たとえばｇＮＢ、ｅＮＢなど）から、コードブックの第１のグループにおけるプリコーダに共通の第１の構成要素向けのコードブックサブセット制限ＣＢＳＲシグナリングを受信することができる。この例示の方法の一態様では、第１の構成要素の制限は、コードブックの第２のグループにおけるプリコーダに共通の第２の構成要素の制限にマッピングされている。本明細書には、ＵＥによって遂行される他のいくつかの例示の実施形態も含まれており、以下でさらに説明される。
【０００６】
本開示では、コードブックサブセット制限のためにネットワークノードによって遂行される方法も開示され、これは、コードブックの第１のグループにおけるプリコーダに共通の第１の構成要素を指示するＣＢＳＲシグナリングを生成することを含む。一態様では、第１の構成要素は、コードブックの第２のグループにおけるプリコーダに共通の第２の構成要素にマッピングされている。加えて、ＣＢＳＲシグナリングは、ＵＥに、第２の構成要素に基づいてコードブックの第２のグループにおけるコードブックから選択可能なプリコーダを制限させるように設定され得る。例示の方法のさらなる態様では、ネットワークノードは、ＵＥへＣＢＳＲシグナリングを送信することができる。
【０００７】
本明細書の実施形態は、対応する装置、コンピュータプログラム、および担体（たとえばコンピュータプログラム製品）、ならびにネットワークノードによって遂行されるネットワーク側の態様を含む。
【図面の簡単な説明】
【０００８】
【図１】本開示の例示の実施形態の基礎となる空間多重化動作の図解である。
【図２】本開示の例示の実施形態で利用される交差偏波アンテナ素子を伴う例示の配列の図解である。
【図３】動的仰角ビーム形成が干渉を引き起こす可能性がある例示のシナリオの図解である。
【図４】本開示のいくつかの実施形態による、特定の仰角における送信ギャップを図解するグラフである。
【図５】本開示の例示の実施形態に対応する無線通信システムの図解である。
【図６】１つまたは複数の実施形態において、第１の構成要素がどのように第２の構成要素にマッピングされているかの一例の図解である。
【図７Ａ】ＵＥが１つまたは複数の実施形態に従って遂行する方法の図解である。
【図７Ｂ】ＵＥが１つまたは複数の実施形態に従って遂行する方法の図解である。
【図７Ｃ】ＵＥが１つまたは複数の実施形態に従って遂行する方法の図解である。
【図７Ｄ】ＵＥが１つまたは複数の実施形態に従って遂行する方法の図解である。
【図７Ｅ】ＵＥが１つまたは複数の実施形態に従って遂行する方法の図解である。
【図８Ａ】ネットワークノードが１つまたは複数の実施形態に従って遂行する方法の図解である。
【図８Ｂ】ネットワークノードが１つまたは複数の実施形態に従って遂行する方法の図解である。
【図８Ｃ】ネットワークノードが１つまたは複数の実施形態に従って遂行する方法の図解である。
【図９Ａ−Ｂ】本開示の例示の実施形態におけるＵＥの態様の図解である。
【図１０Ａ−Ｂ】本開示の例示の実施形態におけるネットワークノードの態様の図解である。
【発明を実施するための形態】
【０００９】
本開示は、コードブックサブセット制限およびプリコーダ選択に関する例示の技術を説明するものである。たとえば、いくつかの例では、ＵＥは、ネットワークノードから、コードブックの第１のグループにおけるプリコーダに共通の第１の構成要素（複数可）を指示するＣＢＳＲシグナリングを受信することができる。ＵＥは、第１の構成要素を、第１の構成要素とは異なる、コードブックの第２のグループにおけるプリコーダに共通の第２の構成要素にマッピングすることができ、また、第２の構成要素に基づいて、コードブックの第２のグループにおけるコードブックから選択可能なプリコーダを制限することができる。
【００１０】
多重アンテナ技術は、無線通信システムのデータレートおよび信頼性を大幅に向上することができる。送信器と受信器の両方が、多入力多出力（ＭＩＭＯ）通信チャネルをもたらす複数のアンテナを装備していれば、性能が特に改善される。そのようなシステムおよび／または関連技術は、一般にＭＩＭＯと称される。
【００１１】
ＮＲ規格は現在規定されている。ＮＲの核心態様は、ＭＩＭＯアンテナ配備およびＭＩＭＯ関連技術のサポートである。ＮＲは、チャネル依存のプリコーディングを用いて、３２までのＴＸアンテナポートのための８層の空間多重化モードをサポートするはずである。空間多重化モードは、良好なチャネル状態において高データレートを目標とするものである。
【００１２】
図１には空間多重化動作の図解が提供されている。図に示されるように、シンボルベクタｓ  １０を搬送する情報にＮＴ×ｒのプリコーダ行列Ｗ  １１が掛けられ、Ｗ  １１は、ＮＴの（ＮＴ個のアンテナポート１２に対応する）次元ベクトル空間の部分空間において送信エネルギーを分配するようにサーブするものである。プリコーダ行列１１は、典型的には可能なプリコーダ行列のコードブックから選択されて、典型的にはプリコーダ行列インジケータ（ＰＭＩ）によって指示され、ＰＭＩは所与の数のシンボルストリームのコードブックにおける固有のプリコーダ行列を規定するものである。シンボルベクトルｓ  １０におけるｒ個のシンボルがそれぞれ層に対応し、ｒは送信ランクと称される。このように、同一の時間／周波数リソースエレメント（ＴＦＲＥ）を通じて複数のシンボルが同時に送信され得るので、空間多重化が達成される。シンボルの数ｒは、典型的には現在のチャネル特性に適するように適合される。
【００１３】
ＮＲはダウンリンクではＯＦＤＭを使用し、そのため、サブキャリアｎ（あるいはデータＴＦＲＥ番号ｎ）上の特定のＴＦＲＥ向けに受信されるＮＲ×１個のベクトルｙｎは次式によってモデル化され、
ｙｎ＝ＨｎＷｓｎ＋ｅｎ
ｅｎはランダムプロセスの実現として得られるノイズ／干渉ベクトルである。プリコーダＷは、周波数にわたって一定の、または周波数選択的な、広帯域プリコーダであり得る。
【００１４】
プリコーダ行列Ｗは、多くの場合ＮＲ×ＮＴのＭＩＭＯチャネル行列Ｈｎの特性と整合するように選択され、いわゆるチャネル依存のプリコーディングをもたらす。これは、一般に閉ループプリコーディングとも称され、基本的に、送信されたエネルギーの多くをＵＥに伝える意味で強い部分空間へ、送信エネルギーを合焦しようとする。加えて、プリコーダ行列は、チャネルを直交させようとするように選択されてもよく、ＵＥにおける適切な線形等化の後、中間層干渉が低減されることを意味する。
【００１５】
ＵＥがプリコーダ行列Ｗを選択するための方法の一例は、次式のように、仮定された等価チャネルのフロベニウスノルムを最大化するＷｋを選択するものであり得、
0006883097.tif 000002
・
0006883097.tif 000003
はチャネル推定であり、
・Ｗｋはインデックスｋを用いて仮定されたプリコーダ行列であり、
・
0006883097.tif 000004
は仮定された等価チャネルである。
【００１６】
ＮＲダウンリンクのための閉ループプリコーディングでは、ＵＥは、（フォワードリンク／ダウンリンクにおけるチャネル測定に基づき）使用するべき適切なプリコーダに関して、ｇＮＢ（本明細書ではｇＮＢ、ｅＮＢ、基地局などとも称される）に推奨を送信する。たとえばｇＮＢにＰＭＩを送信することまたは送ることによって。ｇＮＢは、フィードバックをもたらすようにＵＥを設定してよく、またＣＳＩ−ＲＳを送信してよく、かつ／またはＵＥを、ＵＥがコードブックから選択する推奨されたプリコーディング行列をＣＳＩ−ＲＳの測定を使用してフィードバックさせるように設定してもよい。大きな帯域幅をカバーすると想定される単一のプリコーダまたはその指示（広帯域のプリコーディング）がフィードバックされてよい。チャネルの周波数変化を整合させることや、代わりに、周波数選択的なプリコーディング報告（たとえばいくつかのプリコーダ、またはその指示）を、１つのサブバンドにつき１つフィードバックすることも有利であり得る。これはＣＳＩのフィードバックのより概括的な場合の一例であり、ＵＥに対する後続の送信においてｇＮＢを支援するために、推奨されるプリコーダ以外の情報をフィードバックすることも包含する。そのような他の情報は、チャネル品質インジケータ（ＣＱＩ）ならびに送信ランクインジケータ（ＲＩ）を含み得る。
【００１７】
ｇＮＢは、ＵＥからＣＳＩフィードバックを与えられると、プリコーディング行列またはプリコーダ、送信ランク、ならびに変調およびコーディングの状態（ＭＣＳ）を含めて、ＵＥへ送信するのに使用することを望む送信パラメータを判定する。これらの送信パラメータは、ＵＥからの推奨とは異なることがある。したがって、ランクインジケータおよびＭＣＳがダウンリンク制御情報（ＤＣＩ）でシグナリングされてよく、また、プリコーディング行列もしくはプリコーダまたはそれらの指示がＤＣＩでシグナリングされ得、あるいは、ｇＮＢは、等価チャネルの測定を可能にする復調用参照信号を送信することができる。送信ランクは、したがって空間多重層の数は、プリコーダＷの列の数に反映される。効率的な性能のために、チャネル特性と整合する送信ランクが選択されることが重要である。
【００１８】
この開示で提示された例示の実施形態は２次元アンテナ配列とともに使用されてよく、提示された実施形態のうちいくつかはそのようなアンテナを使用する。そのようなアンテナ配列は、水平次元Ｎｈに対応するアンテナ列の数、垂直次元Ｎｖに対応するアンテナ行の数、および異なる偏波Ｎｐに対応する次元数によって（部分的に）記述され得る。したがってアンテナの総数はＮ＝ＮｈＮｖＮｐである。アンテナの概念は、物理的アンテナ素子の任意の仮想化（たとえば線形マッピング）を表すことができるという意味で非限定的であることに注目されたい。たとえば、ペアの物理的サブ要素は、同一の信号を送り込まれて、同一の仮想化されたアンテナポートを共有することができるであろう。図２に図解された２次元（４×４）配列１３は、Ｎｈ＝４の水平アンテナ要素およびＮｖ＝４の垂直アンテナ要素を有する交差偏波アンテナ素子伴うものである。
【００１９】
プリコーディングは、送信に先立って、信号に、各アンテナについて異なるビーム形成重みを掛けることと解釈され得る。典型的な手法は、プリコーダコードブックを設計するとき、プリコーダをアンテナフォームファクタに適合させる、すなわちＮｈ、ＮｖおよびＮｐを考慮に入れるものである。
【００２０】
通常のタイプのプリコーディングに使用されるＤＦＴプリコーダでは、Ｎ個のアンテナを有する単一偏波の均一な線形配列（ＵＬＡ）を使用して単層の送信をプリコードするのに使用されるプリコーダベクトルは
0006883097.tif 000005
と規定され、ｋ＝０、１、．．．、ＱＮ−１はプリコーダインデックスであり、Ｑは整数のオーバーサンプリング係数である。２次元の均一な平面配列（ＵＰＡ）に対応するプリコーダベクトルは、
0006883097.tif 000006
として２つのプリコーダベクトルのクロネッカー積を取得することによって生成され得る。次いで、プリコーダは、２重偏波のＵＰＡ向けに
0006883097.tif 000007
と拡張され得、ｅｊφは、たとえばＱＰＳＫアルファベット
0006883097.tif 000008
から選択され得る同相化係数である。多層送信のためのプリコーダ行列Ｗ２Ｄ，ＤＰは、次式で表されるＤＦＴプリコーダベクトルの列を付加することによって生成され得、
Ｗ２Ｄ，ＤＰ＝［ｗ２Ｄ，ＤＰ（ｋ１，ｌ１，φ１）  ｗ２Ｄ，ＤＰ（ｋ２，ｌ２，φ２）  ...  ｗ２Ｄ，ＤＰ（ｋＲ，ｌＲ，φＲ）］
Ｒは送信層（すなわち送信ランク）の数である。ランク２のＤＦＴプリコーダについて、ｋ１＝ｋ２＝ｋおよびｌ１＝ｌ２＝ｌという共通の特例は
0006883097.tif 000009
であることを意味する。
【００２１】
２Ｄまたは垂直のアンテナ配列からのコードブックベースのプリコーディングを使用することによって達成され得る仰角ビーム形成は、関心のあるＵＥへ送信エネルギーを向けるための強力なツールであり、それによって受信信号レベルが増加する。干渉は、システム性能を最高にするために考慮に入れるべき別の態様である。たとえば、いくつかの都市のトポロジでは、図３に図解されているように、動的仰角ビーム形成がかなりの干渉を引き起こす場合がある。示されるように、ｇＮＢ  １４は、ＵＥ  １５Ａへ送信出力を向けるとき、同時に、別のｇＮＢ  １８Ｂから現在信号を受信している別のＵＥ  １５Ｂへも送信エネルギーを向ける可能性がある。そのために、ｇＮＢｓ  １４は、仰角ビーム形成を遂行するとき近隣セルに対して干渉を引き起こす可能性があり、この干渉はシステムにとって非常に有害なものになる可能性がある。実際には、この干渉が軽減されなければ、動的ビーム選択による受信信号レベルの増加が干渉レベルの同時の増加未満であり得るので、通信システムにおいて仰角ビーム形成を採用してもシステムレベルの利得をもたらさない可能性がある。
【００２２】
他のセルに対して大きな干渉を引き起こすと思われる特定の角度間隔におけるビーム形成を回避するために、角度ギャップの制約を加えた送信の概念が導入されている。そのような送信特性は、前記危機的な方向の仰角ビームを供しないことにより、送信「ギャップ」を生成することによって達成され得る。図４はそのようなギャップ１６を示し、正規化されたアンテナ利得（ｙ軸）が、隣接した天頂角のアンテナ利得レベルと比較して、仰角の天頂角（ｘ軸）の範囲において低下している。
【００２３】
仰角ビーム形成がコードブックベースのプリコーディングとともに使用されるとき、そのような送信ギャップ１６は、ｇＮＢが、ＵＥに、過度のセル間干渉を引き起こすビーム方向に対応すると思われるコードブックにおけるプリコーディング行列のサブセットを使用しないように命令するコードブックサブセット制限によって実現され得る。過度のセル間干渉を引き起こし得る方位角方向もあり得、これらの方向の送信を制限することも同様に有利であり得ることに留意されたい。
【００２４】
ＬＴＥプリコーダコードブックは、上記で説明されたようにＤＦＴプリコーダに基づくものである。コードブックはランク１〜８について規定され、以下の量に基づくものである。
0006883097.tif 000010
【００２５】
これらの式で、νｌ，ｍはｌ＝０、．．．、Ｎ１Ｏ１−１、ｍ＝０、．．．、Ｎ２Ｏ２−１について規定され、ｗ２Ｄ（ｋ，ｌ）ｗ２Ｄ（ｌ，ｍ）に対応する２Ｄ  ＤＦＴプリコーダまたはビームであり、すべてのランク向けのコードブックが量νｌ，ｍに基づいて構築される。例として、ランク２およびランク４のコードブックの規定は以下の表１および表２に与えられており、ｉ１，１およびｉ１，２は２Ｄ  ＤＦＴの各次元におけるビームインデックスであって、ｉ２は対応する同相化インデックスである。
0006883097.tif 000011
0006883097.tif 000012
【００２６】
ＬＴＥのＦＤ−ＭＩＭＯは、コードブックサブセット制限（ＣＢＳＲ）シグナリングのオーバヘッドを低減するために、ＬＴＥの以前のリリースにおいて使用されたＰＭＩベースのランクごとのＣＢＳＲとは対照的に、ビームベースのランク非依存のＣＢＳＲシグナリングを使用する。ＰＭＩベースのランクごとのＣＢＳＲでは、プリコーダは、各ランクに関する１つまたは複数のビットマップ（すなわちランク１〜８に関するビットマップの８つの組）のシグナリングによって制限され、ビットマップにおける各ビットが、特有のランクのコードブックに関して１つのＰＭＩインデックス（たとえばｉ１またはｉ２）を制限する。
【００２７】
ビームベースのランク非依存のＣＢＳＲを用いると、他方では、代わりに、構成する２Ｄ  ＤＦＴビームνｌ，ｍが制限され、各ビットが１つのオーバーサンプリングされた２Ｄ  ＤＦＴビームνｌ，ｍに関連づけられている、サイズＮ１Ｎ２Ｏ１Ｏ２のビットマップをもたらす。ビットマップにおけるビットがセットされたとき、対応するＤＦＴビームは制限され、またはＣＳＩ推定のために使用されるべきでない。量νｌ，ｍはすべてのランクのプリコーダ用の構築するブロックであるので、ＣＢＳＲシグナリングにおける実質的なオーバヘッド低減が実現される。したがって、制限されたビームνｌ，ｍのうちいずれかがプリコーダにあると、コードブックにおける特定のプリコーダが制限される。
【００２８】
ビームベースのＣＢＳＲは、制御ランクおよび／またはｉ２に対する制限の第２の組を必要とする。これらの制限は、ＬＴＥにおける共同のランクｉ２制限によって指示され、ランクνとコードブックインデックスｉ２の組合せのビットマップ。３ＧＰＰのＴＳ  ３６．２１３に明示されているように、ビット
0006883097.tif 000013
は、ν層（ν∈｛１，２，３，４｝）およびコードブックインデックスｉ２向けのプリコーダに関連づけられ、ｇ（・）は以下の表３に与えられている。
0006883097.tif 000014
【００２９】
ＮＲのタイプＩコードブックは、いろいろな意味でＬＴＥのＦＤ−ＭＩＭＯコードブックに類似しているが、いくつかの差異を含有している。差異の１つは、アンテナのポート数が１６よりも多いとき、ランク３およびランク４のコードブックが「アンテナのグループ化」を使用することである（１６ポート未満の場合には、ランク３およびランク４のコードブックはＬＴＥコードブックに類似である）。これによって、２Ｄ  ＤＦＴビームに対応する２つの量（νｌ，ｍおよび
0006883097.tif 000015
）が導入され、νｌ，ｍは、１６以上のアンテナポートのランク１、２、５、６、７、８のコードブック用（および１６アンテナポート未満のランク１〜８用）に使用され、
0006883097.tif 000016
は、１６以上のアンテナポートのランク３およびランク４のコードブック用に使用される。ここで、２Ｄ  ＤＦＴビーム
0006883097.tif 000017
を同相にするのに、このときφｎとθｐの２つのパラメータが使用されるので、同相化作用がＬＴＥから一般化されることが観測され得る。
0006883097.tif 000018
【００３０】
例として、ランク２およびランク４のコードブックの規定も、それぞれ以下の表４および表５に与えられる。
0006883097.tif 000019
0006883097.tif 000020
【００３１】
同一のビームベースの量がすべてのランク向けのプリコーダの成分構成要素であるわけではないので、ＬＴＥに使用されるビームベースのランク非依存のＣＢＳＲ手法は、ＮＲ用には直接再利用され得ない。ＰＭＩベースのランクごとのＣＢＳＲに基づく、プリ「ＬＴＥ  ＦＤ−ＭＩＭＯ」のＣＢＳＲ手法を使用するという代替案があるが、これはＬＴＥと比較してシグナリングのオーバヘッドが約８倍になるはずである。加えて、２Ｄ  ＤＦＴビーム
0006883097.tif 000021
を同相にするのに２つのパラメータφｎおよびθｐがこのとき使用されるので、ＮＲコードブックは、ＬＴＥの従来技術のコードブックとは異なる汎用型の同相化作用を使用する。同相化作用は、コードブックにおいて使用されるＣＳＩ−ＲＳポートの数、および報告のランクに依拠する。結果的に、本開示を通じて説明されたものなど新規の機構は、同相化およびランクのコードブック制限のためにＮＲにおいて必要とされる。
【００３２】
本説明は、コードブックサブセット制限シグナリングの圧縮のための技術にさらに関し、ランクごとのコードブックが２つのグループに分割され得るプリコーダコードブックに適用可能である。第１のグループのランクごとのコードブックにおけるプリコーダは、すべてが第１の構成要素を使用して構築され、第２のグループのランクごとのコードブックにおけるプリコーダは、すべてが、第１の要素とは異なる第２の構成要素を使用して構築される。加えて、各構成要素は複数の異なる値を取得することができる。
【００３３】
詳細には、本開示によって開示された技術は、（１６以上のアンテナポートに関して）ＮＲのタイプＩコードブックに（非限定的に）適用可能である。この場合、第１のグループは、ランク１、２、５、６、７、８に関するランクごとのコードブックを含有しており、すべてのプリコーダが構成要素
0006883097.tif 000022
に基づいて構築され、この構成要素は、ｌ１＝０、．．．、Ｎ１Ｏ１−１、ｍ＝０、．．．、Ｎ２Ｏ２−１について規定され、サイズ−Ｎ１Ｎ２の２Ｄ  ＤＦＴベクトルを構成するものである。第２のグループは、ランク３および４に関するランクごとのコードブックを含有しており、すべてのプリコーダが構成要素
0006883097.tif 000023
に基づいて構築され、この構成要素は、ｌ２＝０、．．．、（Ｎ１／２）Ｏ１−１、ｍ＝０、．．．、Ｎ２Ｏ２−１について規定されている。
【００３４】
コードブックのこれらのグループは図５に図解されており、図５に図解されている無線通信システム１００は、１つまたは複数の通信チャネルにわたる無線通信におけるネットワークノード１０６およびＵＥ  １０２を含む。示されるように、ＵＥ  １０２は、ネットワークノード１０６による利用が可能なコードブックを、コードブックの第１のグループ１１８とコードブックの第２のグループ１２０などの個別のグループへ分割してよい。ＵＥは、ダウンリンクにおいてネットワークノードからＣＢＳＲシグナリング１１４を受信してよく、ＣＢＳＲシグナリング１１４（本明細書では単にＣＢＳＲとも称される）において指示された１つまたは複数の構成要素に基づいて、コードブックの第１のグループ１１８および第２のグループ１２０からのコードブックのプリコーダを制限してよい。ＵＥ  １０２は、制限されたコードブックからプリコーダを選択して、アップリンクにおけるＣＳＩメッセージ１１６で、選択したプリコーダをネットワークノード１０６に報告することができる。例示の実施形態は、開示された技術において制限および選択がどのように企てられ得るかの詳細を追う図を参照して説明される。
【００３５】
第１の技術では、コードブックサブセット制限またはその指示は、ネットワークノード１０６から、コードブックの第１のグループ１１８におけるプリコーダ１２４向けのＣＢＳＲを規定するために使用される第１の構成要素１２８またはその指示を含有しているＣＢＳＲシグナリング１１４を通じて、ＵＥ  １０２へシグナリングされる。次いで、制限された第１の構成要素１２８は、所定のマッピングを使用して、または所定のマッピングに基づき、制限された第２の構成要素１３０にマッピングされるかまたは同要素１３０へのマッピングを有する。コードブックの第２のグループ１２０におけるプリコーダのＣＢＳＲは、制限された第２の構成要素１３０に基づいて規定される。第１のグループの内部で、ビームベースのランク非依存のＣＢＳＲは、第１のランクごとのコードブック向けのＣＢＳＲを規定するように既存の技術によって適合される。すなわち、制限された第１の構成要素１２８のうち１つまたは複数を使用して構築されたコードブックの第１のグループ１１８における各プリコーダを、ＵＥによるＣＳＩ報告のために使用することは許容されない。
【００３６】
第２のグループ１２０におけるプリコーダ１２６の制限を導出するために第１の構成要素と第２の構成要素の間でマッピングがなされ、第１の構成要素のそれぞれが、１つまたは複数の第２の構成要素にマッピングされ得、またはマッピングされている。または、同様な意味合いで、第２の構成要素１３０のそれぞれが、１つまたは複数の第１の構成要素１２８にマッピングされ、またはマッピングされている。したがって、それぞれの第２の構成要素１３０が１つまたは複数の第１の構成要素１２８にマッピングされ得、またはマッピングされており、それぞれの第１の構成要素１２８が１つまたは複数の第２の構成要素１３０にマッピングされ得、またはマッピングされている。第２の構成要素１３０の制限は、このマッピングおよび制限された第１の構成要素１２８に基づいて、少なくとも１つの制限された第１の構成要素１２８が第２の構成要素１３０にマッピングされた場合、第２の構成要素１３０が制限されるように判定される。
【００３７】
この原理は、第１の構成要素１２８（またはその制限）のインデックスが第２の構成要素１３０（またはその制限）のインデックスにどのようにマッピングされていることが可能かを示す、図６における例示のマッピング図に図解されている。図に見られるように、第１の構成要素１２８はインデックス２、７、および８を用いて制限される。インデックス２を伴う第１の構成要素は、インデックス１および２を伴う第２の構成要素１３０にマッピングされており、このことは、これら第２の構成要素が制限されることを意味する。第２のグループにおけるランクごとのコードブックのプリコーダ向けのＣＢＳＲは、判定された、制限された第２の構成要素に基づいて、第２のグループの範囲内でビームベースのランク非依存のＣＢＳＲを適用することによって判定され得る。
【００３８】
したがって、この方法を用いると、ＣＢＳＲを規定するためのシグナリングを必要とするのは第１の構成要素の制限のみとなり、ＣＢＳＲのシグナリングのためのオーバヘッドが小さく保たれる。いくつかの実施形態では、ＮＲのタイプＩコードブックが使用され、これにおいて第１および第２のグループは上記のように規定されている。第１の構成要素の制限は、たとえば長さＮ１Ｎ２Ｏ１Ｏ２のビットマップ
0006883097.tif 000024
を使用してシグナリングされ得、各ビットは（ｌ１，ｍ）値にマッピングされ、これが、結果として第１の構成要素１２８の制限を指示する。本開示の目的のために、（たとえば「第１の構成要素（複数可）」、「第２の構成要素（複数可）」などの用語で使用されるような）「構成要素」という用語は、数的なベクトルに対応することができる。第１の構成要素１２８は、たとえば、本開示によって数学的に
0006883097.tif 000025
と称され得る。同様に、第２の構成要素は、本開示において数学的に
0006883097.tif 000026
と表され得る。概して、
0006883097.tif 000027
または
0006883097.tif 000028
といった書式によって記述された任意の構成要素またはエンティティは、上記で導入されたように、構成要素のベクトル表現を識別する。その上、「構成要素」という用語は、本開示ならびに構成要素／ベクトルの対応する数学的表現のために特に規定されるが、それぞれの構成要素および数学的表現は、実際の用語として、無線送信に関する特定のビーム方向を表すことも理解されたい。
【００３９】
次に
0006883097.tif 000029
と
0006883097.tif 000030
の間のマッピングを説明する。まず、
0006883097.tif 000031
は、アンテナ配列（のそれぞれの偏波）に適用される２Ｄ  ＤＦＴベクトルでよく、一方
0006883097.tif 000032
は、
0006883097.tif 000033
と比較して２分の１サイズの２Ｄ  ＤＦＴビームであり得、２つのアンテナグループの各々が、第１の次元（典型的には水平次元）に沿ってアンテナ配列を半分に分割することによって形成されている場合に、アンテナ配列の各アンテナグループ（のそれぞれの偏波）に適用されるものである。したがって、
0006883097.tif 000034
はアンテナ配列の左半分と右半分の両方に適用される。これは、（ビームを形成するために配列の半分が使用されているので）第１の次元に沿って、
0006883097.tif 000035
の対応するビーム幅が、
0006883097.tif 000036
の対応するビーム幅の２倍であるが、第２の次元に沿ったビーム幅は同一であることを意味する。ランク４の送信を形成するために、アンテナグループと偏波の間の異なる同相化が異なる層向けに適用されるが、もたらされるビーム形状は
0006883097.tif 000037
のビーム形状に類似のものになる。
【００４０】
いくつかの例示の実施形態では、
0006883097.tif 000038
と
0006883097.tif 000039
の間のマッピングが遂行されるのはアンテナポートの数が１６以上のときのみであり、ランク３およびランク４のコードブック向けのＣＢＳＲは、制限された
0006883097.tif 000040
を使用して、ビームベースのＣＢＳＲを適用することによって達成される。これらの例では、アンテナポートの数が１６未満であるとき、ランク３およびランク４のコードブックに対して、ビームベースのＣＢＳＲは、組
0006883097.tif 000041
を使用して適用される。
【００４１】
したがって、第２の次元に沿ったビーム形状の特性は、
0006883097.tif 000042
と
0006883097.tif 000043
とで共通であるため、問題は、第１の次元におけるマッピングのルールを見いだすこと、すなわちインデックスｌ１とｌ２の間のマッピングのルールを見いだすことに単純化され得る。そのような関係を導出するために、配列ステアリングベクトル
0006883097.tif 000044
の入力を調査することができ、この式でφはステアリング角であり、ｄλは波長における配列要素分離であり、ｎは配列要素インデックスである。これは、ｄλの要素分離を伴う配列に関してビームが角度（−φ）に向けられるべきであることを指示し、位相
0006883097.tif 000045
が、それぞれの配列要素ｎに適用されるものとする（すなわちステアリング位相の複素共役が適用されるものとする）。
【００４２】
第１の構成要素
0006883097.tif 000046
は第１の次元に沿って
0006883097.tif 000047
の位相進行を有し、第２の構成要素
0006883097.tif 000048
は
0006883097.tif 000049
の位相進行を有する。したがって、ビームを同一の角度へ向けるためには、
0006883097.tif 000050
となるべきである。これは、ｌ２＝ｌ１／２が同一のビーム方向をもたらすことを意味する。したがって、一実施形態では、制限された第１の構成要素と制限された第２の構成要素の間のマッピングは以下のように与えられる。第１の構成要素の（サブ）インデックスｌ１が制限される場合には、第２の構成要素に関して（サブ）インデックスｌ２＝ｌ１／２が制限される。奇数のｌ１に関して、
0006883097.tif 000051
は整数でないため、ｌ２インデックスにマッピングしないことに留意されたい。一実施形態では、奇数のｌ１値は単に無視され、その結果、制限された第１の構成要素と制限された第２の構成要素の間に１対１のマッピングが存在する。別の実施形態では、ｌ１が制限され、かつ奇数であると、
0006883097.tif 000052
と
0006883097.tif 000053
の両方が制限され、その場合、１つの第１の構成要素が２つの第２の構成要素を制限することを意味する。
【００４３】
もう一つの実施形態では、ｌ１が制限される場合には
0006883097.tif 000054
が制限される。たとえば、ｌ１＝１１またはｌ１＝１０が制限される場合には、ランク３およびランク４のコードブックにおいてｌ２＝５も制限される。あるいは、ｌ１が制限される場合には
0006883097.tif 000055
が制限される。たとえば、ｌ１＝１１が制限される場合には、ランク３およびランク４のコードブックにおいてｌ２＝６も制限される。
【００４４】
0006883097.tif 000056
のビーム幅が
0006883097.tif 000057
のビーム幅の２倍であるため、
0006883097.tif 000058
の制限は、いくつかの隣接する
0006883097.tif 000059
に依拠するということが意味をなすはずである。したがって、いくつかの実施形態では、インデックスｌ１の間隔［ｍｏｄ（２ｌ２−Δ１，Ｎ１Ｏ１），ｍｏｄ（２ｌ２＋Δ２，Ｎ１Ｏ１）］に対応する第１の構成要素のうちいずれかが制限される場合には、インデックスｌ２に対応する第２の構成要素が制限される。ビームインデックスがＮ１Ｏ１にラップされる（すなわちｌ１＝０になってｌ１＝Ｎ１Ｏ１は同一のビーム方向に対応する）ので、モジュロ演算子が使用される。間隔は、基本的に、（サブ）インデックスｌ２を有する第２の構成要素の制限に影響を与える制限された第１の構成要素のｌ１＝２ｌ２のまわりのサイズΔ１＋Δ２＋１の窓を規定する。いくつかのそのような実施形態では対称な窓が使用され、Δ１＝Δ２となる。Δ１＝Δ２＝１（すなわちサイズ３の窓）とすると、第２の構成要素に対応するビーム幅が第１の構成要素に対応するビーム幅の２倍になるので、優れた選択と言える。別の実施形態では、制限をより控えめにするために、Δ１＝Ｏ１およびΔ２＝Ｏ１−１とされ、それによりサイズ２Ｏ１の窓が使用される。
【００４５】
本開示のさらなる態様では、第１のグループおよび第２のグループ向けに個別のＣＢＳＲがシグナリングされる。第１のグループ向けのＣＢＳＲシグナリングが第１の構成要素の制限を規定し、第２のグループ向けのＣＢＳＲシグナリングが第２の構成要素の制限を規定する。したがって、第１のグループ向けのＣＢＳＲシグナリングが特定のランクのプリコーダ向けのＣＢＳＲを決定し、第２のグループ向けのＣＢＳＲシグナリングが他のランクのプリコーダ向けのＣＢＳＲを決定する。いくつかの実施形態では、第２のグループに対応するＣＢＳＲのシグナリングは、設定されたアンテナポートの数に依拠する。たとえば、アンテナポートの数が１６未満であるとき、第２のグループに対応するＣＢＳＲはシグナリングされない。アンテナポートの数が１６以上であるとき、第２のグループに対応するＣＢＳＲがシグナリングされる。一実施形態では、ＮＲのタイプＩコードブックが使用され、ＣＢＳＲシグナリングは、
・長さＮ１Ｎ２Ｏ１Ｏ２のビットマップ
0006883097.tif 000060
であって、各ビットが（ｌ１，ｍ）値にマッピングされ、これが、結果として第１の構成要素
0006883097.tif 000061
の制限を指示するビットマップと、
・長さ（Ｎ１／２）Ｎ２Ｏ１Ｏ２のビットマップ
0006883097.tif 000062
であって、各ビットが（ｌ２，ｍ）値にマッピングされ、これが、結果として第２の構成要素
0006883097.tif 000063
の制限を指示するビットマップと
の、２つのビットマップを含む。
【００４６】
その上、ＵＥは、ＣＢＳＲにおける第１の構成要素またはその指示のみを受信するのではなく、コードブックサブセット制限用の第２の構成要素またはその指示も受信することができる。したがって、いくつかの例では、ＵＥはネットワークノードからＣＢＳＲを受信することができ、ＣＢＳＲはコードブックの第１のグループのコードブック制限用の第１の構成要素を指示する。これらの例では、第１の構成要素はプリコーダの第１のグループのプリコーダに共通でよい。加えて、ＣＢＳＲは、コードブックの第２のグループのコードブック制限用の第２の構成要素を指示することができ、第２の構成要素はプリコーダの第２のグループのプリコーダに共通である。これら例示の実施形態の一態様では、第２の構成要素は第１の構成要素とは異なるものであり得る。したがって、これらの構成要素により、ＵＥは、第１の構成要素に基づいて、コードブックの第１のグループのコードブックから選択可能なプリコーダを制限することができ、第２の構成要素に基づいて、コードブックの第２のグループのコードブックから選択可能なプリコーダを制限することができる。
【００４７】
さらなる態様では、ＵＥは、ランク値と第１のインデックスおよび／または第２のインデックスとの組合せの共同の指示を受信することができる。これら例示の実施形態の一態様では、第１のインデックスは、２次元（２Ｄ）離散フーリエ変換（ＤＦＴ）ビームをスケーリングする第１の複素数を少なくとも識別し、第２のインデックスは、２Ｄ  ＤＦＴビームもスケーリングする第２の複素数を少なくとも識別する。ＵＥは、第１のインデックスおよび／または第２のインデックスが（ａ）ランク値と（ｂ）コードブック設定およびチャネル状態情報（ＣＳＩ）参照信号ポートの数のうち少なくとも１つとに従って実現し得る状態の数を判定することもできる。
【００４８】
いくつかの実施形態では、ＵＥ  １０２は、ＣＳＩ報告において使用される組合せを調節する機構としての同相化およびランクサブセット制限を実施してよい。詳細には、この機構は、ＵＥ  １０２が、ネットワークノード１０６から、ランク値と第１のインデックスおよび／または第２のインデックスとの組合せの共同の指示を受信することを含み得、第１のインデックスは、２Ｄ  ＤＦＴビームをスケーリングする第１の複素数φｎを少なくとも識別し、第２のインデックスは、２Ｄ  ＤＦＴビームもスケーリングする第２の複素数を少なくとも識別する。ＵＥ  １０２は、共同の指示に基づき、ランク値とコードブック設定および／またはＣＳＩ−ＲＳポートの数とに従って第１のインデックスおよび／または第２のインデックスが実現し得る状態の数を判定することができる。その上、この機構は、ＵＥ  １０２が、共同の指示によって許容されたランクの値と第１のインデックスおよび／または第２のインデックスのみを指示するＣＳＩ報告を生成することを包含することができる。当然、ＵＥ  １０２は、生成されたＣＳＩ報告をネットワークノード１０６に送信することもできる。
【００４９】
現行の実施形態の追加の特徴では、同相化およびランクは、（ｉ１，３およびｉ２など）第１のインデックスおよび／または第２のインデックスとランク指示νとの組合せを識別するビットマップを使用して共同で指示され得る。この任意選択の態様によれば、コードブックサブセット制限ビットマップ値
0006883097.tif 000064
は、ν層向けのプリコーダに関連づけられる。コードブックインデックスｉ１，３は第１の同相化パラメータθｐの状態を識別し、インデックスｉ２は第２の同相化パラメータφｎの状態を識別する。ベクトルｃｎは、ランダムプロセスの結果を指示するノイズ／干渉ベクトルである。加えて、特別な実施形態に使用されるビットマップにおけるビットの順序に依拠して、Ｃ２＝４かつＣ１＝２、またはＣ２＝２かつＣ１＝４である。残りの係数（ｇ（・））は、表６によって以下のように規定され得る。
0006883097.tif 000065
【００５０】
表６における設定Ｃｏｄｅｂｏｏｋ−Ｃｏｎｆｉｇは、１または２など、ランクの特定の値向けに第２のインデックスｉ２用に使用される状態の数を識別するものである。Ｃｏｄｅｂｏｏｋ−Ｃｏｎｆｉｇ＝２であれば、第２のインデックスｉ２は、所与のサブバンドにおけるＬ個のビームのビームグループから選択されたビームνｌ，ｍならびに第２の同相化パラメータφｎの両方を識別する。ＮＲのコードブック設計は、Ｃｏｄｅｂｏｏｋ−Ｃｏｎｆｉｇ＝２のランク１およびランク２用に、ビームグループにおけるＬ＝４のビームを使用し、結果的に、第２の同相化パラメータφｎに必要な、４つまたは２つの状態と、２つまたは１つのビットとに加えて、４つの状態および２つのビットを必要とする。したがって、Ｃｏｄｅｂｏｏｋ−Ｃｏｎｆｉｇ  ２は、第２の同相化パラメータφｎを表すために、ランク１およびランク２用にそれぞれ１６の状態および８つの状態を必要とし、この場合第２のインデックスｉ２用に４つまたは３つのビットを必要とする。
【００５１】
対照的に、Ｃｏｄｅｂｏｏｋ−Ｃｏｎｆｉｇ  １は、すべてのランクについてビームグループにおけるＬ＝１のビームを使用し、したがって、第２のインデックスｉ２は、Ｃｏｄｅｂｏｏｋ−Ｃｏｎｆｉｇ  １向けにパラメータφｎのみを識別する。Ｃｏｄｅｂｏｏｋ−Ｃｏｎｆｉｇ  １は、第２の同相化パラメータφｎを表すために、ランク１およびランク２用にそれぞれ４つの状態および２つの状態を必要とし、この場合第２のインデックスｉ２用に２ビットまたは１ビットを必要とする。パラメータθｐは４つの状態を必要とし、そこでｉ１，３は２ビットを使用する。パラメータθｐが使用され得るのは、ランク３および４向けなどのいくつかの状態、およびコードブックにおいて使用されるＣＳＩ−ＲＳポートの数ＰＣＳＩ−ＲＳが１６以上のときのみであるので、すべてのコードブック設定においてθｐ用のさらなる状態またはビットは不要である。
【００５２】
同相化パラメータφｎ用により多くの状態を使用することの性能上の利点は、ランクが増加すると減少する傾向がある。結果的に、φｎ用に使用される状態の数は、ランク１用の４つと、ランク２〜８など、より高いランク用の２つであり得る。これは、ランク４を超えると、ｉ２がたった１ビットしか必要としないことを意味する。
【００５３】
その上に、ランク、第１および第２の同相化パラメータ、ならびにビームグループからのビーム選択と共同でコードブックサブセット制限を指示するための機構は、（ａ）ビームグループにおけるビームの数Ｌが１よりも大きいか（または同様な意味合いでＣｏｄｅｂｏｏｋ−Ｃｏｎｆｉｇ＝２か）どうか、ということと、（ｂ）コードブックにおいて使用されるＣＳＩ−ＲＳポートの数ＰＣＳＩ−ＲＳが１６以上か（または同様な意味合いで１６未満か）どうか、ということとの２つの独立した状態に分解できることが理解され得る。これらの状態が、表６に図解された上記の実施形態をもたらし、４つの行のうちの１つにおいて指示されている４つの置換の各々によって明示されるように、これらの２つの状態のステータスに従って関数ｇ（・）が決定される。
【００５４】
この関数ｇ（・）は、先のランクνにわたる、コードブックインデックスｉ１，３およびｉ２の可能な値の数の累積を表す。したがってＣｏｄｅｂｏｏｋ−Ｃｏｎｆｉｇ＝２、かつＰＣＳＩ−ＲＳ＜１６については、パラメータθｐはランク３および４向けには指示されず、ｉ２のランク１および２用にそれぞれ１６および８つの状態が必要とされ、一方、ｉ２の２よりも大きいランク用に２つの状態が必要とされるので、ｇ（ν）＝ｇ（ν−１）＋Δ（ν）であり、この式でΔ（ν）＝｛０，１６，８，２，２，２，２，２｝かつ１＜ν≦８であり、ｇ（ν＝１）＝０である。Ｃｏｄｅｂｏｏｋ−Ｃｏｎｆｉｇ＝２、かつＰＣＳＩ−ＲＳ≧１６については、パラメータθｐがランク３および４向けに指示され、ランク１および２向けに必要な状態の数がＣＳＩ−ＲＳポートの数による影響を受けないので、この場合、ｇ（ν）＝ｇ（ν−１）＋Δ（ν）であり、この式でΔ（ν）＝｛０，１６，８，８，８，２，２，２｝かつ１＜ν≦８であり、ｇ（ν＝１）＝０である。Ｃｏｄｅｂｏｏｋ−Ｃｏｎｆｉｇ＝１、かつＰＣＳＩ−ＲＳ＜１６については、パラメータθｐはランク３および４向けには指示されず、ｉ２のランク１および２用にそれぞれ４つおよび２つの状態が必要とされ、一方、ｉ２の２よりも大きいランク用に２つの状態が必要とされるので、この場合、ｇ（ν）＝ｇ（ν−１）＋Δ（ν）であり、この式でΔ（ν）＝｛０，４，２，２，２，２，２，２｝かつ１＜ν≦８であり、ｇ（ν＝１）＝０である。Ｃｏｄｅｂｏｏｋ−Ｃｏｎｆｉｇ＝１、かつＰＣＳＩ−ＲＳ≧１６については、パラメータθｐがランク３および４向けに指示され、ｉ２のランク１および２用にそれぞれ４つおよび２つの状態が必要とされ、一方、ｉ２の２よりも大きいランク用に２つの状態が必要とされるので、この場合、ｇ（ν）＝ｇ（ν−１）＋Δ（ν）であり、この式でΔ（ν）＝｛０，４，２，８，８，２，２，２｝かつ１＜ν≦８であり、ｇ（ν＝１）＝０である。
【００５５】
したがって、一実施形態では、ＵＥ  １０２におけるＣＳＩ報告において使用される組合せを調節する機構が提供される。たとえば、そのような機構は、ＵＥ  １０２が、ランク値と第１のインデックスおよび／または第２のインデックスとの組合せの共同の指示を受信することを含み得る。一態様では、この第１のインデックスは、２Ｄ  ＤＦＴビームをスケーリングする第１の複素数φｎを（少なくとも）識別し、第２のインデックスは、２Ｄ  ＤＦＴビームもスケーリングする第２の複素数を（少なくとも）識別する。この機構は、第１のインデックスおよび／または第２のインデックスがランク値とコードブック設定およびＣＳＩ−ＲＳポートの数のうち少なくとも１つとに従って実現することができる状態の数を、ＵＥ  １０２が判定することも含むことができる。その上、ＵＥ  １０２は、共同の指示によって許容されたランクの値と第１のインデックスおよび／または第２のインデックスのみを指示するＣＳＩ報告を生成することができる。最後に、ＵＥ  １０２は、ネットワークノード１０６にＣＳＩ報告を送信することによって機構を完成することができる。
【００５６】
上記に提示された詳細を考慮して、次に、図を参照して例示の方法を提示する。図７Ａ〜図７Ｅは、いくつかの例において、上記で論じた技術を実行するためにＵＥ  １０２によって遂行され得る５つの例示の方法の流れ図を示す。加えて、図８Ａ〜図８Ｃは、いくつかの例においてネットワークノード１０６によって遂行され得る３つの非限定的な方法の流れ図を示す。
【００５７】
具体的には、図７Ａは、ＵＥ  １０２において前述の態様を実行するための例示の方法３００を図解するものである。図解されるように、ブロック３０２において、ＵＥ  １０２は、コードブックの第１のグループ１１８におけるプリコーダに共通の第１の構成要素１２８に関するＣＢＳＲシグナリングを受信することができる。上記で詳細に論じられたように、第１の構成要素１２８の制限は、第２の構成要素の制限にマッピングされているかまたはマッピングされていることが可能である。また上記で説明されたように、第２の構成要素１３０はコードブックの第２のグループ１２０におけるプリコーダに共通である。加えて、ブロック３０４において、ＵＥ  １０２は、第２の構成要素１３０に基づいて、コードブックの第２のグループ１２０におけるコードブックから選択可能なプリコーダを制限することができる。本開示の目的のために、「制限する」または「制限している」という用語は、「構成要素（複数可）の制限を規定する」ことを意味し得る。
【００５８】
図７Ｂに移って、ＵＥ  １０２におけるコードブックサブセット制限のための別の例示の方法３０６が提供される。示されるように、方法３０６は、ブロック３０８において、ネットワークノード１０６から、コードブックの第１のグループ１１８におけるプリコーダに共通の第１の構成要素１２８に関するＣＢＳＲシグナリングを受信することを含み得る。さらなる態様では、第１の構成要素１２８は第２の構成要素１３０にマッピングされており、第２の構成要素１３０はコードブックの第２のグループ１２０におけるプリコーダに共通である。加えて、方法３０６は、ブロック３１０において、第２の構成要素１３０に基づいて、コードブックの第２のグループ１２０におけるコードブックから選択可能なプリコーダを制限することを含み得る。
【００５９】
ＵＥにおけるコードブックサブセット制限のための方法３１２のさらなる例示の実施形態が図７Ｃに示されている。方法３１２において、ＵＥ１０２は、ブロック３１４において、ネットワークノード１０６から、コードブックの第１のグループ１１８におけるプリコーダに共通の第１の構成要素１２８を指示するＣＢＳＲシグナリングを受信することができる。加えて、ブロック３１６において、ＵＥ  １０２は、第１の構成要素１２８を、第１の構成要素１２８とは異なる、コードブックの第２のグループ１２０におけるプリコーダに共通の第２の構成要素１３０にマッピングすることができる。その上、方法３１２は、ブロック３１８において、第２の構成要素１３０に基づいて、コードブック１２１の第２のグループ１２０におけるコードブックから選択可能なプリコーダ１２６を制限することを含む。
【００６０】
図７Ｄに示される別の例示の実施形態では、方法３２０は、ブロック３２２において、ネットワークノード１０６から、コードブックの第１のグループ１１８におけるプリコーダ１２４に共通の第１の構成要素１２８に関する制限を指示するコードブックサブセット制限ＣＢＳＲシグナリングを受信することを含み得る。この方法は、ブロック３２４において、第１の構成要素１２８に関する制限を第２の構成要素１３０に関する制限にマッピングすることも含み得る。ここでも、第２の構成要素１３０は第１の構成要素１２８とは異なり得、コードブックの第２のグループ１２０におけるプリコーダ１２６に共通であり得る。加えて、方法３２０は、ブロック３２６において、第２の構成要素１３０に関する制限に基づいて、コードブックの第２のグループ１２０におけるコードブック１２１から選択可能なプリコーダ１２６を制限することを含み得る。
【００６１】
図７Ｅは、ユーザ機器ＵＥ  １０２におけるコードブック選択制限のためのさらに別の例示の方法３２８を提示するものである。流れ図に示されるように、方法３２８は、ブロック３３０において、ネットワークノード１０６から、コードブックの第１のグループ１１８のコードブック制限用の第１の構成要素１２８を指示するコードブックサブセット制限ＣＢＳＲシグナリングを受信することを含み得る。ＣＢＳＲシグナリングは、コードブックの第２のグループ１２０のコードブック制限用の第２の構成要素１３０を指示することができ、第２の構成要素１３０は第１の構成要素１２８とは異なるものである。加えて、方法３２８は、ブロック３３２において、第１の構成要素１２８に基づいて、コードブックの第１のグループ１１８におけるコードブックから選択可能なプリコーダを制限すること、ならびに、第２の構成要素１３０に基づいて、コードブックの第２のグループ１２０におけるコードブック１２１から選択可能なプリコーダ１２６を制限することを含み得る。
【００６２】
図７Ａ、図７Ｂ、図７Ｃ、図７Ｄ、および図７Ｅのうち１つまたは複数において明示的に示されていない、以下の特徴を含むさらなる態様も、さらなる実施形態においてＵＥ  １０２によって実現され得る。たとえば、いくつかの実施形態では、第１の構成要素はベクトルの第１の組からのベクトルであり、コードブックの第１のグループにおけるプリコーダは、ベクトルの第１の組からの１つまたは複数のベクトルを含む。いくつかの例では、第２の構成要素はベクトルの第２の組からのベクトルであり、コードブックの第２のグループにおけるプリコーダは、ベクトルの第２の組からの１つまたは複数のベクトルを含む。いくつかの事例では、第２の構成要素は、ベクトルの第２の組におけるベクトルのサイズがベクトルの第１の組におけるベクトルのサイズの半分であるなど、第１の構成要素とはサイズの異なるベクトルを構成する。
【００６３】
その上、いくつかの事例では、ＣＢＳＲシグナリングに含まれ得るビットマップが複数のビットを含有しており、複数のビットの各ビットが、ベクトルの第１の組からのベクトルを指示する。いくつかの例は、たとえば、第１の構成要素が制限されていることを指示するビットに基づいて、第２の構成要素が制限されているかどうかを判定することを含み得る。いくつかの例では、第１の構成要素は、第１の構成要素に基づいて、コードブックの第１のグループにおけるコードブックから選択可能なプリコーダを制限するのに利用され得る。一態様では、上記で説明されたように、第１の構成要素は長さＮ１Ｎ２Ｏ１Ｏ２のビットマップ
0006883097.tif 000066
でよく、各ビットが、第１の２次元制限ベクトル
0006883097.tif 000067
を少なくとも部分的に指示する（ｌ１，ｍ）値を構成する。
【００６４】
加えて、図７Ａ、図７Ｂ、図７Ｃ、図７Ｄ、および図７Ｅのうち任意の方法が、コードブックの第２のグループにおけるコードブックから選択可能なプリコーダからプリコーダを選択することを包含することができる。さらなる態様では、この方法は、選択されたプリコーダを指示するＣＳＩ報告を生成することと、任意選択でＣＳＩ報告をネットワークノードへ送信することとを含み得る。
【００６５】
その上、いくつかの実装形態は、第１の構成要素がν２ｌ＋１，ｍ、ν２ｌ−１，ｍ、およびν２ｌ，ｍのうち少なくとも１つ（または各々）に関して制限されているかどうかを指示する複数のビットに基づいて、第２の構成要素が制限されているかどうかを判定することを含み得る。いくつかの例では、第１の構成要素は関連するインデックスｌ１を有し、第２の構成要素は関連するインデックスｌ２を有し、ｌ１とｌ２にはｌ１＝ｒｌ２となる関係ｒがある。これらの事例では、この方法は、関係のある第２の構成要素の制限に影響を与える任意の制限されたｌ１＝ｒｌ２の第１の構成要素のまわりのサイズΔ１＋Δ２＋１の窓を監視することも含み得る。いくつかの実装形態では、Δ１＝Δ２であって窓サイズは３である。
【００６６】
さらなる例示の特徴では、コードブックの第１のグループがランク１、ランク２、ランク５、ランク６、ランク７、および／またはランク８のコードブックを含み得、ならびに／あるいは、コードブックの第２のグループがランク３および／またはランク４のコードブックを含み得る。
【００６７】
図８Ａにおけるネットワークノードの方法に移って、この図は、コードブックサブセット制限のためにネットワークノード１０６によって遂行される方法４００を図解するものであり、方法４００は、コードブックの第１のグループ１１８におけるプリコーダ１２４に共通の第１の構成要素１２８を指示するコードブックサブセット制限ＣＢＳＲシグナリングを生成すること４０２を含み、第１の構成要素１２８は、コードブックの第２のグループ１２０におけるプリコーダ１２６に共通の第２の構成要素１３０にマッピングされている。その上、ＣＢＳＲシグナリングは、ＵＥ１０２に、第２の構成要素１３０に基づいて、コードブックの第２のグループ１２０におけるコードブック１２１から選択可能なプリコーダ１２６を制限させるように設定されている。加えて、方法４００は、ブロック４０４において、ＵＥにＣＢＳＲシグナリングを送信することを含む。
【００６８】
図８Ｂは、ブロック４０８において、コードブックの第１のグループ１１８におけるプリコーダ１２４に共通の第１の構成要素１２８を判定することを含む別のネットワークノード１０６の方法４０６を提示するものである。ここでも、第１の構成要素１２８は第２の構成要素１３０にマッピングされており、第２の構成要素１３０は第１の構成要素１２８とは異なるものであり、コードブックの第２のグループ１２０におけるプリコーダ１２６に共通である。方法４０６は、ブロック４１０において、第２の構成要素１３０に基づいて、コードブック１２１の第２のグループ１２０におけるコードブックから選択可能なプリコーダ１２６を制限するＣＢＳＲシグナリングを生成することを含む。これは、ネットワークノード１０６が、第２の構成要素１３０にマッピングされている第１の構成要素１２８を指示するためのＣＢＳＲシグナリングを生成することを含む。方法４０６は、次いで、ブロック４１２においてＣＢＳＲシグナリングを送信することを含み得る。
【００６９】
図８Ｃに提示されたネットワークノード１０６におけるコードブック選択制限のための別の例示の方法４１４では、ネットワークノード１０６は、ブロック４１６において、コードブックサブセット制限ＣＢＳＲシグナリングを生成することができる。一態様では、ＣＢＳＲシグナリングは、コードブックの第１のグループ１１８のコードブック制限用の第１の構成要素１２８と、コードブックの第２のグループ１２０のコードブック制限用の第２の構成要素１３０とを指示する。その上、ＣＢＳＲシグナリングにより、ＵＥ  １０２が、第１の構成要素１２８に基づいて、コードブックの第１のグループ１１８におけるコードブック１１９から選択可能なプリコーダを制限し、第２の構成要素１３０に基づいて、コードブックの第２のグループ１２０におけるコードブック１２１から選択可能なプリコーダ１２６を制限する。加えて、ネットワークノード１０６は、ブロック４１８において、ＵＥ  １０２にＣＢＳＲシグナリングを送信する。
【００７０】
図８Ａ、図８Ｂ、および図８Ｅのうち１つまたは複数において明示的に示されていない、以下の特徴を含むさらなる態様も、さらなる実施形態においてＵＥ  １０２によって実現され得る。たとえば、これらの方法のいくつかの実施形態では、第１の構成要素はベクトルの第１の組からのベクトルであり、コードブックの第１のグループにおけるプリコーダは、ベクトルの第１の組からの１つまたは複数のベクトルを含む。いくつかの例では、第２の構成要素はベクトルの第２の組からのベクトルであり、コードブックの第２のグループにおけるプリコーダは、ベクトルの第２の組からの１つまたは複数のベクトルを含む。いくつかの事例では、第２の構成要素は、ベクトルの第２の組におけるベクトルのサイズがベクトルの第１の組におけるベクトルのサイズの半分であるなど、第１の構成要素とはサイズの異なるベクトルを構成する。その上、いくつかの実施形態は、ネットワークノード１０６が、ＵＥ  １０２から、制限されたコードブックサブセットに対応する許容されたコードブックサブセットを指示するＣＳＩ報告を受信することを含み得る。いくつかの例示の実施形態の一態様では、上記で説明されたように、第１の構成要素は長さＮ１Ｎ２Ｏ１Ｏ２のビットマップ
0006883097.tif 000068
でよく、各ビットが、第１の２次元制限ベクトル
0006883097.tif 000069
を少なくとも部分的に指示する（ｌ１，ｍ）値を構成する。
【００７１】
図９Ａは、１つまたは複数の実施形態による無線通信システム１００の例示のＵＥ  １０２のさらなる詳細を図解するものである。ＵＥ  １０２は、たとえば、機能的な手段またはユニット（本明細書ではモジュールまたは構成要素と称されることもある）によって、少なくとも図７Ａ、図７Ｂ、図７Ｃ、図７Ｄ、および図７Ｅに提示された方法を参照して上記で説明された特定の態様を遂行するための処理を実施するように設定されている。図９Ｂに示されるように、いくつかの実施形態におけるＵＥ  １０２は、（図５Ｂにおいて明示的に示されていない他の可能な手段、モジュール、構成要素またはユニットの中でも）たとえばこれらの方法の態様を遂行するための手段、モジュール、構成要素、またはユニット５３０、５４０、および５５０を含む。いくつかの例では、これらの手段、モジュール、構成要素、またはユニットは、処理サーキットリ５００において実現され得る。具体的には、ＵＥ  １０２の機能的な手段またはユニットは、ネットワークノードから、図７Ａ、図７Ｂ、図７Ｃ、図７Ｄ、および図７Ｅのブロック３０２、３０８、３１４、３２２、および３３０におけるＣＢＳＲシグナリングなどの１つまたは複数の無線通信を受信するように設定された受信ユニット／モジュール５３０を含み得る。加えて、ＵＥ  １０２には、上記で説明されたように第１の構成要素（および／またはその制限）を第２の構成要素にマッピングすることを行うとともに、たとえば上記の図７Ｃのブロック３１６および図７Ｄのブロック３２４を遂行するための、マッピングユニット／モジュール５４０が含まれ得る。加えて、ＵＥ  １０２は、たとえばブロック３３２において、マッピングの結果としてコードブックから選択可能なプリコーダを制限するための制限ユニット／モジュールを含み得る。
【００７２】
少なくともいくつかの実施形態では、ＵＥ  １０２には、上記の機能的な手段またはユニットを実施することなどにより、図７Ａ、図７Ｂ、図７Ｃ、図７Ｄ、および図７Ｅに提示された方法の処理と、他の図に関連して説明された特徴の特定の関連づけられた処理とを実施するように設定された１つまたは複数の処理サーキットリ／回路５００が備わっている。一実施形態では、たとえば、処理回路５００（複数可）は、それぞれの回路として機能的な手段またはユニットを実施する。処理回路５００は、この点に関して、特定の機能的な処理を遂行するための専用の回路および／または記憶装置５２０に関連する１つまたは複数のマイクロプロセッサを備え得る。読取り専用メモリ（ＲＯＭ）、ランダムアクセスメモリ、キャッシュメモリ、フラッシュメモリデバイス、光学記憶デバイスなど、１つまたはいくつかのタイプの記憶装置を備え得る記憶装置５２０を採用する実施形態では、記憶装置５２０は、１つまたは複数のマイクロプロセッサによって実行されたとき本明細書で説明された技術を実行するプログラムコードを記憶する。
【００７３】
１つまたは複数の実施形態では、ＵＥ  １０２は通信サーキットリ５１０も備える。通信サーキットリ５１０は、データおよび制御信号を送受信するための様々な構成要素（たとえばアンテナ）を含む。より詳細には、サーキットリ５１０に含まれる送信器は、典型的には１つまたは複数の規格に従い、既知の信号処理技術を使用して、（たとえば１つまたは複数のアンテナを介して無線で）送信するための信号を調整するように設定されている。同様に、通信サーキットリ５１０は、（たとえばアンテナ（複数可）を介して）受信された信号を、１つまたは複数の処理回路によって処理するためにデジタルサンプルへ変換するように設定されている受信器を含む。
【００７４】
図１０Ａは、１つまたは複数の実施形態による無線通信システム１０の例示のネットワークノード１０６のさらなる詳細を図解するものである。図１０Ｂに示されるように、ネットワークノード１０６は、たとえば、少なくとも図８Ａ、図８Ｂ、および図８Ｃに提示された方法を参照して上記で説明された特定の態様を遂行する処理を実施するための機能的な手段、構成要素、モジュール、またはユニットを介して設定される。いくつかの例では、これらの手段、モジュール、構成要素、またはユニットは、図１０Ａの処理サーキットリ６００によって実現され得る。
【００７５】
少なくともいくつかの実施形態では、ネットワークノード１０６は、上記の機能的な手段またはユニットを実装することになどより、図８Ａ、図８Ｂ、および図８Ｃの方法の処理を実施するように設定された１つまたは複数の処理回路６００を備える。一実施形態では、たとえば、１つまたは複数の処理回路（または処理サーキットリ）６００は、それぞれの回路として機能的な手段またはユニットを実施する。処理回路６００は、この点に関して、特定の機能的な処理を遂行するための専用の回路および／または記憶装置１０２０に関連する１つまたは複数のマイクロプロセッサを備え得る。読取り専用メモリ（ＲＯＭ）、ランダムアクセスメモリ、キャッシュメモリ、フラッシュメモリデバイス、光学記憶デバイスなど、１つまたはいくつかのタイプの記憶装置を備え得る記憶装置１０２０を採用する実施形態では、記憶装置１０２０は、１つまたは複数のマイクロプロセッサによって実行されたとき本明細書で説明された技術を実行するプログラムコードを記憶する。
【００７６】
１つまたは複数の実施形態では、ネットワークノード１０６は通信サーキットリ６０１も備える。通信サーキットリ６０１は、データおよび制御信号を送受信するための様々な構成要素（たとえばアンテナ）を含む。より詳細には、サーキットリ６０１に含まれる送信器は、典型的には１つまたは複数の規格に従い、既知の信号処理技術を使用して、（たとえば１つまたは複数のアンテナを介して無線で）送信するための信号を調整するように設定されている。同様に、通信サーキットリ６０１は、（たとえばアンテナ（複数可）を介して）受信された信号を、１つまたは複数の処理回路によって処理するためにデジタルサンプルへ変換するように設定されている受信器を含む。
【００７７】
当業者なら、本明細書の実施形態は対応するコンピュータプログラムをさらに含むことも理解するであろう。コンピュータプログラムが含む命令が、ネットワークノード１０６またはＵＥ  １０２の少なくとも１つのプロセッサ上で実行されることにより、これらのデバイスは上記で説明されたそれぞれの処理のうち任意のものを実行する。その上、ネットワークノード１０６またはＵＥ  １０２の処理または機能は、単一のインスタンスまたはデバイスによって遂行されるものと見なされてよく、あるいは、すべての開示された機能をデバイスインスタンスとともに遂行するように、所与のシステムに存在し得るネットワークノード１０６またはＵＥ  １０２の複数のインスタンスにわたって分割されてもよい。
【００７８】
一態様では、ユーザ機器１０２は、ネットワーク側のインフラストラクチュアからユーザデータを受信する／消費するように設定されたラップトップコンピュータ、電話、タブレット、ＩｏＴデバイスなどを含む任意のモバイルデバイスに（または固定デバイスにも）対応し得る。ネットワークノード１０６は、基地局、ｅＮＢ、ｇＮＢ、アクセスポイント、または任意の他の類似のデバイスなど任意のネットワークデバイスでよい。
【００７９】
実施形態は、そのようなコンピュータプログラムを含有している担体をさらに含む。この担体は、電子信号、光信号、無線信号、またはコンピュータ可読記憶媒体のうち１つを含み得る。コンピュータプログラムは、この点に関して、上記で説明された手段またはユニットに対応する１つまたは複数のコードモジュールを含み得る。
【００８０】
本実施形態は、もちろん、開示された主題の本質的特質から逸脱することなく、本明細書で具体的に明らかにされたもの以外のやり方で実行され得るものである。本実施形態は、あらゆる点で実例であって限定ではないと見なされるべきであり、添付の特許請求の範囲の意味および等価範囲の範囲内に入るすべての変更形態を包含するように意図されている。本明細書で説明された１組の例示的実施形態を以下に列挙する。
【００８１】
実施形態の列挙
１．  ユーザ機器（ＵＥ）におけるコードブックサブセット制限のための方法であって、
ネットワークノードから、コードブックの第１のグループにおけるプリコーダに共通の第１の構成要素を指示するコードブックサブセット制限シグナリング（ＣＢＳＲ）を受信することと、
第１の構成要素を第２の構成要素にマッピングすることであって、第２の構成要素は第１の構成要素とは異なるものであり、コードブックの第２のグループにおけるプリコーダに共通である、マッピングすることと、
第２の構成要素に基づいて、コードブックの第２のグループにおけるコードブックから選択可能なプリコーダを制限することとを含む方法。
【００８２】
２．  第１の構成要素に基づいて、コードブックの第１のグループにおけるコードブックから選択可能なプリコーダを制限することをさらに含む、実施形態１に記載の方法。
【００８３】
３．  第１の構成要素が、長さＮ１Ｎ２Ｏ１Ｏ２のビットマップ
0006883097.tif 000070
を含み、各ビットが、第１の２次元制限ベクトル
0006883097.tif 000071
を少なくとも部分的に指示する（ｌ１，ｍ）値を構成する、実施形態１または２に記載の方法。
【００８４】
４．  第１の構成要素を第２の構成要素にマッピングすることが、第２の２次元ベクトル
0006883097.tif 000072
であって、
0006883097.tif 000073
とはサイズが異なる第２の２次元ベクトルを形成することを含む、実施形態３に記載の方法。
【００８５】
５．
0006883097.tif 000074
のサイズが、
0006883097.tif 000075
のサイズの半分である、実施形態４に記載の方法。
【００８６】
６．  コードブックの第２のグループにおけるコードブックから選択可能な、制限されたプリコーダからプリコーダを選択することと、
選択されたプリコーダを指示するチャネル状態情報（ＣＳＩ）報告を生成することと、
ネットワークノードにＣＳＩ報告を送信することとをさらに含む、実施形態１から５のいずれか１つに記載の方法。
【００８７】
７．  ユーザ機器（ＵＥ）におけるコードブック選択制限のための方法であって、
ネットワークノードからコードブックサブセット制限シグナリング（ＣＢＳＲ）を受信することであって、ＣＢＳＲが、コードブックの第１のグループのコードブック制限用の第１の構成要素を指示し、第１の構成要素がプリコーダの第１のグループのプリコーダに共通であり、ＣＢＳＲが、コードブックの第２のグループのコードブック制限用の第２の構成要素を指示し、第２の構成要素がプリコーダの第２のグループのプリコーダに共通であり、第２の構成要素が第１の構成要素とは異なるものである、受信することと、
第１の構成要素に基づいて、コードブックの第１のグループにおけるコードブックから選択可能なプリコーダを制限することと、第２の構成要素に基づいて、コードブックの第２のグループにおけるコードブックから選択可能なプリコーダを制限することとを含む方法。
【００８８】
８．  第１の構成要素が、
0006883097.tif 000076
の値を有する長さＮ１Ｎ２Ｏ１Ｏ２の第１のビットマップを含み、第１のビットマップの各ビットが（ｌ１，ｍ）値にマッピングされ、これが、結果として第１の構成要素
0006883097.tif 000077
の制限を指示し、第２の構成要素が、
0006883097.tif 000078
の値を有する長さ（Ｎ１／２）Ｎ２Ｏ１Ｏ２の第２のビットマップを含み、第２のビットマップの各ビットが（ｌ２，ｍ）値にマッピングされ、これが、結果として第２の構成要素
0006883097.tif 000079
の制限を指示する、実施形態７に記載の方法。
【００８９】
９．  コードブックの第２のグループにおけるコードブックから選択可能な、制限されたプリコーダからプリコーダを選択することと、
選択されたプリコーダを指示するチャネル状態情報（ＣＳＩ）報告を生成することと、
ネットワークノードにＣＳＩ報告を送信することとをさらに含む、実施形態７または８に記載の方法。
【００９０】
１０．  ＣＳＩ報告に使用されている組合せを識別するためにユーザ機器（ＵＥ）によって遂行される方法であって、
ランク値と第１のインデックスおよび第２のインデックスのうち少なくとも１つとの組合せの共同の指示を受信することであって、第１のインデックスが、２次元（２Ｄ）離散フーリエ変換（ＤＦＴ）ビームをスケーリングする第１の複素数を少なくとも識別し、第２のインデックスが、２Ｄ  ＤＦＴビームもスケーリングする第２の複素数を少なくとも識別する、受信することと、
ランク値とコードブック設定およびチャネル状態情報（ＣＳＩ）参照信号のポート数とのうち少なくとも１つに従って、第１のインデックスおよび第２のインデックスのうち少なくとも１つが実現し得る状態の数を判定することとを含む方法。
【００９１】
１１．  無線通信ネットワークにおけるユーザ機器（ＵＥ）であって、少なくともプロセッサと、実施形態１〜１０のいずれか１つに記載の態様を遂行するためにプロセッサによって実行可能な命令を含有している記憶装置とを備えるＵＥ。
【００９２】
１２．  無線通信ネットワークにおけるユーザ機器（ＵＥ）であって、実施形態１〜１０のいずれか１つに記載の態様を遂行するように設定されているＵＥ。
【００９３】
１３．  命令を含むコンピュータプログラムであって、これらの命令がユーザ機器の少なくとも１つのプロセッサによって実行されることにより、ユーザ機器が実施形態１〜１０のいずれか１つに記載の態様を遂行する、コンピュータプログラム。
【００９４】
１４．  実施形態１３に記載のコンピュータプログラムを含有している担体であって、電子信号、光信号、無線信号、またはコンピュータ可読記憶媒体のうち１つである担体。
【００９５】
１５．  コードブックサブセット制限のためにネットワークノードによって遂行される方法であって、
コードブックの第１のグループにおけるプリコーダに共通の第１の構成要素を指示するコードブックサブセット制限シグナリング（ＣＢＳＲ）を生成することであって、ＣＢＳＲが、ユーザ機器（ＵＥ）に、第１の構成要素を、第１の構成要素とは異なる、コードブックの第２のグループにおけるプリコーダに共通の第２の構成要素にマッピングさせ、第２の構成要素に基づいて、コードブックの第２のグループにおけるコードブックから選択可能なプリコーダを制限させるように設定されている、生成することと、
ＵＥにＣＢＳＲを送信することとを含む方法。
【００９６】
１６．  ＣＢＳＲが、ＵＥに、第１の構成要素に基づいて、コードブックの第１のグループにおけるコードブックから選択可能なプリコーダを制限させるようにさらに設定されている、実施形態１５に記載の方法。
【００９７】
１７．  第１の構成要素が、長さＮ１Ｎ２Ｏ１Ｏ２のビットマップ
0006883097.tif 000080
を含み、各ビットが、第１の２次元制限ベクトル
0006883097.tif 000081
を少なくとも部分的に指示する（ｌ１，ｍ）値を構成する、実施形態１５または１６に記載の方法。
【００９８】
１８．  ＵＥに、第１の構成要素を第２の構成要素にマッピングさせることが、ＵＥに、第２の２次元ベクトル
0006883097.tif 000082
であって、サイズが
0006883097.tif 000083
のサイズと異なる第２の２次元ベクトルを形成させることを含む、実施形態１７に記載の方法。
【００９９】
１９．
0006883097.tif 000084
のサイズが
0006883097.tif 000085
のサイズの半分である、実施形態１８に記載の方法。
【０１００】
２０．  ネットワークノードにおけるコードブック選択制限のための方法であって、
コードブックサブセット制限シグナリング（ＣＢＳＲ）を生成することであって、ＣＢＳＲが、コードブックの第１のグループのコードブック制限用の第１の構成要素を指示し、第１の構成要素がプリコーダの第１のグループのプリコーダに共通であり、ＣＢＳＲが、コードブックの第２のグループのコードブック制限用の第２の構成要素を指示し、第２の構成要素がプリコーダの第２のグループのプリコーダに共通であり、第２の構成要素が第１の構成要素とは異なるものであり、ＣＢＳＲにより、ユーザ機器（ＵＥ）が、第１の構成要素に基づいて、コードブックの第１のグループのコードブックから選択可能なプリコーダを制限し、第２の構成要素に基づいて、コードブックの第２のグループのコードブックから選択可能なプリコーダを制限する、生成することと、
ＵＥにＣＢＳＲを送信することとを含む方法。
【０１０１】
２１．  第１の構成要素が、
0006883097.tif 000086
の値を有する長さＮ１Ｎ２Ｏ１Ｏ２の第１のビットマップを含み、第１のビットマップの各ビットがＵＥによって（ｌ１，ｍ）値にマッピングされ、これが、結果として第１の構成要素
0006883097.tif 000087
の制限を指示し、第２の構成要素が、
0006883097.tif 000088
の値を有する長さ（Ｎ１／２）Ｎ２Ｏ１Ｏ２の第２のビットマップを含み、第２のビットマップの各ビットが、ＵＥによって（ｌ２，ｍ）値にマッピングされ、これが、結果として第２の構成要素
0006883097.tif 000089
の制限を指示する、実施形態２０に記載の方法。
【０１０２】
２２．  ＵＥから、制限されたコードブックサブセットに対応する、許容されたコードブックサブセットを指示するチャネル状態情報（ＣＳＩ）報告を受信することをさらに含む、実施形態２０または２１に記載の方法。
【０１０３】
２３．  ネットワークノードによって遂行される方法であって、
ランク値と第１のインデックスおよび第２のインデックスのうち少なくとも１つとの組合せの共同の指示を生成することであって、第１のインデックスが、２次元（２Ｄ）離散フーリエ変換（ＤＦＴ）ビームをスケーリングする第１の複素数を少なくとも識別し、第２のインデックスが、２Ｄ  ＤＦＴビームもスケーリングする第２の複素数を少なくとも識別し、組合せの共同の指示により、ユーザ機器（ＵＥ）が、第１のインデックスおよび第２のインデックスのうち少なくとも１つがランク値とコードブック設定およびチャネル状態情報（ＣＳＩ）参照信号のポート数とのうち少なくとも１つに従って実現することができる状態の数を判定する、生成することと、
共同の指示をＵＥに送信することとを含む方法。
【０１０４】
２４．  無線通信ネットワークにおける、少なくともプロセッサおよび記憶装置を備えるネットワークノードであって、記憶装置が、実施形態１５〜２３のいずれか１つに記載の態様を遂行するためにプロセッサによって実行可能な命令を含有している、ネットワークノード。
【０１０５】
２５．  無線通信ネットワークにおけるネットワークノードであって、実施形態１５から２３のいずれか１つに記載の態様を遂行するように設定されているネットワークノード。
【０１０６】
２６．  命令を含むコンピュータプログラムであって、これらの命令がネットワークノードの少なくとも１つのプロセッサによって実行されることにより、ネットワークノードが、実施形態１５から２３のいずれか１つに記載の態様を遂行する、コンピュータプログラム。
【０１０７】
２７．  実施形態２６に記載のコンピュータプログラムを含有している担体であって、電子信号、光信号、無線信号、またはコンピュータ可読記憶媒体のうち１つである担体。
【０１０８】
２８．  コードブックサブセット制限のためにネットワークノードによって遂行される方法であって、
コードブックの第１のグループにおけるプリコーダに共通の第１の構成要素を判定することであって、第１の構成要素が第２の構成要素にマッピングされており、第２の構成要素は第１の構成要素とは異なるものであり、コードブックの第２のグループにおけるプリコーダに共通である、判定することと、
コードブックサブセット制限シグナリング（ＣＢＳＲ）を生成して、第２の構成要素にマッピングされている第１の構成要素を指示することにより、第２の構成要素に基づいて、第２のグループにおけるコードブックから選択可能なプリコーダを制限するＣＢＳＲを生成することと、
ＣＢＳＲを送信することとを含む方法。
【０１０９】
２９．  無線通信ネットワークにおける、少なくともプロセッサおよび記憶装置を備えるネットワークノードであって、記憶装置が、実施形態２８に記載の態様を遂行するためにプロセッサによって実行可能な命令を含有している、ネットワークノード。
【０１１０】
３０．  無線通信ネットワークにおけるネットワークノードであって、実施形態２８の態様を遂行するように設定されているネットワークノード。
【０１１１】
３１．  命令を含むコンピュータプログラムであって、これらの命令がネットワークノードの少なくとも１つのプロセッサによって実行されることにより、ネットワークノードが実施形態２８に記載の態様を遂行する、コンピュータプログラム。
【０１１２】
３２．  実施形態２６に記載のコンピュータプログラムを含有している担体であって、電子信号、光信号、無線信号、またはコンピュータ可読記憶媒体のうち１つである担体。
【図１】
0006883097.tif 000090
【図２】
0006883097.tif 000091
【図３】
0006883097.tif 000092
【図４】
0006883097.tif 000093
【図５】
0006883097.tif 000094
【図６】
0006883097.tif 000095
【図７Ａ】
0006883097.tif 000096
【図７Ｂ】
0006883097.tif 000097
【図７Ｃ】
0006883097.tif 000098
【図７Ｄ】
0006883097.tif 000099
【図７Ｅ】
0006883097.tif 000100
【図８Ａ】
0006883097.tif 000101
【図８Ｂ】
0006883097.tif 000102
【図８Ｃ】
0006883097.tif 000103
【図９Ａ−Ｂ】
0006883097.tif 000104
【図１０Ａ−Ｂ】
0006883097.tif 000105